(57)【特許請求の範囲】
【請求項１】
上方に突出したフックを有し、空調対象空間の壁面に取り付けられる据付板と、
穴部を有し、該穴部に前記フックが挿入されることにより、背面部が前記据付板と対向した状態で前記据付板に取り付けられる室内機本体と、
を備えた空気調和機の室内機であって、
前記室内機本体の前面部に取り外し自在に貼り付けられ、前記空調対象空間に当該室内機を据え付けるときに用いられる情報が記載されたシートを有し、
前記室内機本体は、上面部に吸込口を有し、
該吸込口の横方向の中心位置は、前記室内機本体の横方向の中心位置とずれており、
前記フック及び前記穴部は、前記室内機本体の横方向の中心位置と前記据付板の横方向の中心位置とが一致した状態のときに、前記フックが前記穴部に挿入される位置に設けられており、
前記シートには、前記室内機本体の横方向の中心位置を示すマークが記されている空気調和機の室内機。
【請求項２】
前記フックは、前記据付板の横方向の中心位置に設けられている請求項１に記載の空気調和機の室内機。
【請求項３】
前記シートは、テープによって前記室内機本体に貼り付けられている請求項１又は請求項２に記載の空気調和機の室内機。
【発明の詳細な説明】
【技術分野】
【０００１】
本発明は、空気調和機の室内機に関し、特に、空調対象空間の壁面に据え付けられる壁掛け型の室内機に関するものである。
【背景技術】
【０００２】
従来、空気調和機の室内機として、部屋等の空調対象空間の壁面に据え付けられる壁掛け型の室内機が知られている。このような壁掛け型の室内機は、空調対象空間の壁面にネジ止め等で取り付けられる据付板と、該据付板に取り付けられる室内機本体と、を備える。具体的には、据付板の例えば上部には、上方向に突出した例えば複数のフックが設けられている。また、室内機本体の背面部には、据付板のフックが挿入される例えば複数の穴部が形成されている。そして、室内機本体の穴部に据付板のフックを挿入することにより、換言すると、室内機本体の穴部に据付板のフックを引っ掛けることにより、室内機本体は据付板に取り付けられる。室内機本体が据付板に取り付けられた状態においては、室内機本体の背面部と据付板とが対向した状態となる。【０００３】
また、従来の壁掛け型の室内機には、室内機の前面部に、製品情報及び据付注意内容等を記したシートを貼り付けているものもある（例えば、特許文献１参照）。
【先行技術文献】
【特許文献】
【０００４】
【特許文献１】特開２０１０−１９６９９５号公報
【発明の概要】
【発明が解決しようとする課題】
【０００５】
空気調和機の室内機は、年々、機能の向上に伴って熱交換器の大きさが大きくなっている。熱交換器を収納している室内機本体においては、上下方向及び横方向（左右方向）の大きさは、据付の制約等から限界に達している。このため、室内機本体において熱交換器の大きさに合わせて延ばすことができる部分は、前後方向（奥行き方向）のみとなってきている。しかしながら、室内機本体の前後方向（奥行き方向）の寸法の拡大は、室内機本体の高重量化だけでなく、据付板のフックの視認性の悪化をも招いている。一般的に、室内機本体が据付板に取り付けられた状態においては、室内機本体の横方向の中心位置と据付板の横方向の中心位置とが略一致する。換言すると、据付板のフック及び室内機本体の穴部は、室内機本体の横方向の中心位置と据付板の横方向の中心位置とが一致した状態のときに、フックが穴部に挿入される位置に設けられている。このため、据付板のフックの視認性が悪い場合、据付作業者は、室内機本体の横方向の中心位置と据付板の横方向の中心位置とを一致させ、室内機本体の穴部に据付板のフックを挿入することにより、室内機本体を据付板に取り付けている。【０００６】
室内機本体には、上面部に吸込口を有するものもある。このように室内機本体の上面部に吸込口を有する場合、据付作業者は、吸込口の横方向の中心位置を室内機本体の横方向の中心位置であると認識し、室内機本体を据付板に取り付けようとする。例えば、吸込口には、室内機本体の前後方向に延びる複数の縦桟、及び、室内機本体の横方向に延びる例えば複数の横桟が、設けられている。このため、据付作業者は、吸込口の横方向の中心位置に設けられた縦桟の位置が室内機本体の横方向の中心位置である認識し、室内機本体を据付板に取り付けようとする。【０００７】
ここで、室内機本体の上面部に設けられる吸込口は、室内機本体に収納されている熱交換器と対向する位置に配置される。この際、室内機本体には、熱交換器以外にも、吸込口から室内機本体内に空調対象空間の空気を吸い込む送風ファン、該送風ファンを回転させるモータ、及び、熱交換器の伝熱管に接続された冷媒配管等も収納されている。そして、前記のモータ及び冷媒配管は、室内機本体内において、該室内機本体の横方向の一方の端部側に収納される。このため、熱交換器は、室内機本体内において、該室内機本体の横方向の中心位置よりも該室内機本体の他方の端部側寄りに収納される。換言すると、熱交換器の横方向の中心位置と室内機本体の横方向の中心位置とは、ずれている。すなわち、室内機本体の上面部に設けられた吸込口は、熱交換器と対向する位置に配置されているため、該吸込口の横方向の中心位置もまた、室内機本体の横方向の中心位置に対してずれている。【０００８】
このため、据付作業者は、吸込口の横方向の中心位置を据付板の横方向の中心位置に合わせて、室内機本体を据付板に取り付けようとすると、室内機本体の横方向の中心位置と据付板の横方向の中心位置とが一致しない。すなわち、室内機本体の穴部の位置と、据付板のフックの位置とが一致しない。したがって、室内機本体が上面部に吸込口を有する場合、室内機本体を据付板に取り付けるのが難しく、室内機本体の据付板への取り付け作業性が悪いという課題があった。【０００９】
本発明は、上記のような課題を解決するためになされたもので、上面部に吸込口を有する室内機本体の据付板への取り付け作業性を向上させることができる空気調和機の室内機を提供することを目的とする。
【課題を解決するための手段】
【００１０】
本発明に係る空気調和機の室内機は、上方に突出したフックを有し、空調対象空間の壁面に取り付けられる据付板と、穴部を有し、該穴部に前記フックが挿入されることにより、背面部が前記据付板と対向した状態で前記据付板に取り付けられる室内機本体と、を備えた空気調和機の室内機であって、前記室内機本体の前面部に取り外し自在に貼り付けられ、前記空調対象空間に当該室内機を据え付けるときに用いられる情報が記載されたシートを有し、前記室内機本体は、上面部に吸込口を有し、該吸込口の横方向の中心位置は、前記室内機本体の横方向の中心位置とずれており、前記フック及び前記穴部は、前記室内機本体の横方向の中心位置と前記据付板の横方向の中心位置とが一致した状態のときに、前記フックが前記穴部に挿入される位置に設けられており、前記シートには、前記室内機本体の横方向の中心位置を示すマークが記されている。
【発明の効果】
【００１１】
本発明に係る空気調和機の室内機においては、シートに記されているマークによって、室内機本体の横方向の中心位置を視覚的に認知できる。このため、本発明に係る空気調和機の室内機においては、シートに記されているマークと据付板の横方向の中心位置とを一致させることにより、室内機本体の横方向の中心位置と据付板の横方向の中心位置とを容易に一致させることができる。すなわち、本発明に係る空気調和機の室内機においては、シートに記されているマークと据付板の横方向の中心位置とを一致させることにより、室内機本体の穴部の位置と据付板のフックの位置とを容易に一致させることができる。したがって、本発明に係る空気調和機の室内機は、室内機本体の上面部に吸込口を有していても、室内機本体を据付板に容易に取り付けることができ、室内機本体の据付板への取り付け作業性を向上させることができる。
【図面の簡単な説明】
【００１２】
【図１】本発明の実施の形態に係る空気調和機の室内機を正面側から見た斜視図である。
【図２】本発明の実施の形態に係る空気調和機の室内機を正面側から見た斜視図であり、室内機本体と据付板とを分解して示した分解斜視図である。
【図３】本発明の実施の形態に係る空気調和機の室内機の据付板を正面側から見た斜視図である。
【図４】本発明の実施の形態に係る空気調和機の室内機において室内機本体の背面部を構成する台枠を背面側から見た斜視図である。
【図５】本発明の実施の形態に係る空気調和機の室内機の据付方法を説明するための説明図であり、据付途中の室内機の側面図である。
【図６】本発明の実施の形態に係る空気調和機の室内機の据付方法を説明するための説明図であり、室内機本体の穴部及び据付板のフックの近傍を横方向から見た縦断面図である。
【図７】本発明の実施の形態に係る空気調和機の室内機における室内機本体の内部を示す斜視図である。
【図８】本発明の実施の形態に係る空気調和機の室内機における室内機本体の平面図である。
【図９】本発明の実施の形態に係る空気調和機の室内機における室内機本体の前面部に貼り付けられているシートを示す図である。
【発明を実施するための形態】
【００１３】
実施の形態．
図１は、本発明の実施の形態に係る空気調和機の室内機を正面側から見た斜視図である。図２は、本発明の実施の形態に係る空気調和機の室内機を正面側から見た斜視図であり、室内機本体と据付板とを分解して示した分解斜視図である。図３は、本発明の実施の形態に係る空気調和機の室内機の据付板を正面側から見た斜視図である。また、図４は、本発明の実施の形態に係る空気調和機の室内機において室内機本体の背面部を構成する台枠を背面側から見た斜視図である。つまり、図４は、室内機本体１の背面部を構成する台枠５を、図２に示す矢印Ａ方向に観察した斜視図である。
なお、以下の説明では、図１に示すＸ軸方向を室内機１００の横方向とし、図１に示すＺ方向を室内機１００の上下方向とし、図１に示すＹ方向を室内機１００の前後方向として、室内機１００を説明していく。
【００１４】
図１に示すように、本実施の形態に係る空気調和機の室内機１００は、横方向に長い略直方体形状をした室内機本体１を備えている。梱包されている室内機本体１を開梱した際、室内機本体１の前面部には、シート２が取り外し自在に貼り付けられている。本実施の形態では、シート２は、テープ３によって、室内機本体１の前面部に貼り付けられている。このシート２には、空調対象空間に室内機１００を据え付けるときに用いられる情報が記載されている。空調対象空間に室内機１００を据え付けるときに用いられる情報とは、例えば、製品情報、及び、室内機１００を据え付ける際に注意すべき注意内容等である。したがって、据付作業者は、空調対象空間に室内機１００を据え付ける際、シート２に記載された情報を参照しながら、室内機１００の据付作業を行うこととなる。
【００１５】
図２に示すように、室内機１００は、室内機本体１に加え、据付板４を備える。この据付板４は、ネジ又は釘等により、部屋等の空調対象空間の壁面に取り付けられるものである。そして、室内機本体１は、空調対象空間の壁面に取り付けられた据付板４に取り付けられる。すなわち、本実施の形態に係る室内機１００は、壁掛け型の室内機である。
【００１６】
図３に示すように、据付板４は、例えば上縁部に、上方に突出した複数のフック４ａを有している。これらのフック４ａは、室内機本体１を据付板４に取り付ける際、室内機本体１の後述する穴部５ａに挿入されるものである。本実施の形態では、据付板４は、３つのフック４ａを有している。３つのフック４ａのうちの１つは、横方向において据付板４の中心となる位置に設けられている。また、３つのフック４ａのうちの残りの２つは、据付板４の横方向の両端部近傍に設けられている。また、据付板４は、例えば下縁部に、複数の穴部４ｂを有している。これらの穴部４ｂは、室内機本体１を据付板４に取り付ける際、室内機本体１の後述する爪５ｂが挿入されるものである。本実施の形態では、据付板４は、２つの穴部４ｂを有している。これらの穴部４ｂは、据付板４の横方向の両端部近傍に設けられている。
【００１７】
一方、図４に示すように、室内機本体１の背面部を構成する台枠５は、例えば上縁部に、据付板４のフック４ａが挿入される複数の穴部５ａを有している。これら穴部５ａは、フック４ａが下方から挿入可能となるように、少なくとも下方に開口している。上述のように、本実施の形態では、据付板４は３つのフック４ａを有している。このため、台枠５も、フック４ａの数に合わせて、３つの穴部５ａを有している。このうち、据付板４の横方向の中心位置に設けられたフック４ａが挿入される穴部５ａは、横方向において台枠５の中心となる位置に設けられている。また、残りの２つの穴部５ａは、据付板４の横方向の両端部近傍に設けられたフック４ａに対応して、台枠５の横方向の両端部近傍に設けられている。
【００１８】
すなわち、室内機本体１の穴部５ａに据付板４のフック４ａを挿入することにより、換言すると、室内機本体１の穴部５ａに据付板４のフック４ａを引っ掛けることにより、室内機本体１は据付板４に取り付けられる。室内機本体１が据付板４に取り付けられた状態においては、据付板４と室内機本体１の背面部を構成する台枠５とが対向した状態となる。また、室内機本体１が据付板４に取り付けられた状態においては、室内機本体１の横方向の中心位置と据付板４の横方向の中心位置とが略一致する。換言すると、据付板４のフック４ａ及び室内機本体１の穴部５ａは、室内機本体１の横方向の中心位置と据付板４の横方向の中心位置とが一致した状態のときに、フック４ａが穴部５ａに挿入される位置に設けられている。
【００１９】
また、図４に示すように、室内機本体１の背面部を構成する台枠５は、例えば下縁部に、据付板４の穴部４ｂに挿入される複数の爪５ｂを有している。上述のように、本実施の形態では、据付板４は２つの穴部４ｂを有している。このため、台枠５も、穴部４ｂの数に合わせて、２つの爪５ｂを有している。これらの爪５ｂは、据付板４の横方向の両端部近傍に設けられた穴部４ｂに対応して、台枠５の横方向の両端部近傍に設けられている。
【００２０】
続いて、本実施の形態に係る空気調和機の室内機１００の据付方法について説明する。
【００２１】
図５は、本発明の実施の形態に係る空気調和機の室内機の据付方法を説明するための説明図であり、据付途中の室内機の側面図である。また、図６は、本発明の実施の形態に係る空気調和機の室内機の据付方法を説明するための説明図であり、室内機本体の穴部及び据付板のフックの近傍を横方向から見た縦断面図である。
【００２２】
室内機１００を空調対象空間に据え付ける際、まず、ネジ又は釘等により、据付板４を空調対象空間の壁面に取り付ける。その後、この据付板４に、室内機本体１を取り付ける。詳しくは、図５に示すように、室内機本体１を前面部側が持ち上がるように傾け、据付板４のフック４ａを台枠５の穴部５ａに差し込む。そして、図６に示すように、フック４ａを、完全に穴部５ａに差し込む。その後、室内機本体１を、前面部側が下がるように傾けていく。これにより、室内機本体１は、フック４ａ及び穴部５ａを中心として、下面部が据付板４に近づくように回転していく。最後に、台枠５の爪５ｂを据付板４の穴部４ｂに挿入することにより、室内機本体１が据付板４に固定される。
【００２３】
ところで、一般的に、室内機本体は、内部に熱交換器を収納している。この熱交換器は、空調対象空間の空気と熱交換し、該空気を加熱又は冷却するものである。このため、室内機本体は、該室内機本体の内部に空調対象空間の空気を吸い込むための吸込口と、該室内機本体の内部から熱交換器と熱交換後の空気を空調対象空間に吹き出すための吹出口と、を有する。そして、室内機の機能の向上に伴って、年々、熱交換器の大きさが大きくなっている。熱交換器を収納している室内機本体においては、上下方向及び横方向の大きさは、据付の制約等から限界に達している。このため、室内機本体において熱交換器の大きさに合わせて延ばすことができる部分は、前後方向のみとなってきている。この室内機本体の前後方向の寸法の拡大は、据付板のフックの視認性の悪化を招く。このため、据付作業者は、室内機本体の横方向の中心位置と据付板の横方向の中心位置とを一致させ、室内機本体の穴部に据付板のフックを挿入することにより、室内機本体を据付板に取り付けている。
【００２４】
本実施の形態に係る室内機１００においても、室内機本体１に収納されている熱交換器の大きさが大きくなっている。そして、室内機本体１の前後方向の寸法も大きくなっている。このため、本実施の形態に係る室内機１００においても、従来と同様に、据付作業者は、室内機本体１の横方向の中心位置と据付板４の横方向の中心位置とを一致させ、室内機本体１を据付板４に取り付けようとする。ここで、図１及び図２に示すように、本実施の形態に係る室内機本体１は、上面部に吸込口９を有している。このように室内機本体１の上面部に吸込口９を有する場合、上述のように室内機本体１を据付板４に取り付けようとしても、室内機本体１を据付板４に取り付けるのが難しく、室内機本体１の据付板４への取り付け作業性が悪化してしまうという課題があった。以下、図７及び図８を用いて、当該課題が発生する理由について説明していく。
【００２５】
図７は、本発明の実施の形態に係る空気調和機の室内機における室内機本体の内部を示す斜視図である。この図７は、室内機本体１の内部を正面側から見た斜視図となっている。換言すると、図７は、図１及び図２と同じ観察方向で、室内機本体１の内部を示した斜視図となっている。また、図８は、本発明の実施の形態に係る空気調和機の室内機における室内機本体の平面図である。なお、図８は、紙面下側が室内機本体１の前面部側（正面側）となっており、紙面上側が背面部側（台枠５側）となっている。
【００２６】
図７に示すように、室内機本体１には、熱交換器７、吸込口９から室内機本体１内に空調対象空間の空気を吸い込む送風ファン、該送風ファンを回転させるモータ６、及び、熱交換器７の伝熱管に接続された冷媒配管８等の部品が収納されている。これらの部品は、室内機本体１のデザイン又は据付等の制約上、限られた空間内に配置する必要がある。このため、上記モータ６及び冷媒配管８は、室内機本体１内において、該室内機本体１の横方向の一方の端部側（図７では右側の端部側）にしか収納できない。したがって、熱交換器７は、室内機本体１内において、該室内機本体１の横方向の中心位置よりも該室内機本体１の他方の端部側寄り（図７では左側の端部寄り）に収納される。換言すると、熱交換器７の横方向の中心位置と室内機本体１の横方向の中心位置とは、ずれている。
【００２７】
室内機本体１の吸込口９は、室内機本体１の内部に、熱交換器７と熱交換する空調対象空間の空気を吸い込むためのものである。このため、室内機本体１の上面部に設けられた吸込口９は、熱交換器７と対向する位置に配置される。したがって、図８に示すように、該吸込口９の横方向の中心位置もまた、室内機本体１の横方向の中心位置に対してずれている。詳しくは、モータ６及び冷媒配管８が収納されている側である室内機本体１の右側の端部の端面と、吸込口９の右側端部との間の距離をＣ１とする。また、室内機本体１の左側の端部の端面と、吸込口９の左側端部との間の距離をＣ２とする。このように定義した場合、モータ６及び冷媒配管８の収納スペースを確保しなければならないため、Ｃ１がＣ２よりも大きくなる。このため、吸込口９の横方向の中心位置１１は、室内機本体１の横方向の中心位置１０に対して、Ｂ＝Ｃ１−Ｃ２だけ、室内機本体１の左側へずれてしまう。
【００２８】
ここで、室内機本体１の上面部に吸込口９を有する場合、据付作業者は、室内機本体１の横方向の中心位置と据付板４の横方向の中心位置とを一致させ、室内機本体１を据付板４に取り付けようとする際、吸込口９の横方向の中心位置を室内機本体１の横方向の中心位置と認識してしまう。このため、据付作業者は、吸込口９の横方向の中心位置を据付板４の横方向の中心位置に合わせて、室内機本体１を据付板４に取り付けようとする。図８に示すように、本実施の形態に係る室内機本体１の吸込口９には、吸込口９周辺の強度を確保するため、室内機本体１の前後方向に延びる複数の縦桟９ａ，９ｂ、及び、室内機本体１の横方向に延びる例えば複数の横桟９ｃが設けられている。例えば、据付作業者は、吸込口９の横方向の中心位置に設けられた縦桟９ａの位置が室内機本体１の横方向の中心位置である認識し、室内機本体１を据付板４に取り付けようとする。
【００２９】
しかしながら、上述のように、吸込口９の横方向の中心位置は、室内機本体１の横方向の中心位置に対してずれている。このため、吸込口９の横方向の中心位置を据付板４の横方向の中心位置に合わせても、室内機本体１の穴部５ａの位置と、据付板４のフック４ａの位置とが一致しない。したがって、室内機本体１の上面部に吸込口９を有する場合、室内機本体１を据付板４に取り付けるのが難しく、室内機本体１の据付板４への取り付け作業性が悪化してしまう。
【００３０】
そこで、本実施の形態に係る室内機１００においては、室内機本体１の開梱時に該室内機本体１の前面部に貼り付けられているシート２を以下のように構成し、室内機本体１の据付板４への取り付け作業性を向上させている。
【００３１】
図９は、本発明の実施の形態に係る空気調和機の室内機における室内機本体の前面部に貼り付けられているシートを示す図である。
シート２には、上述のように、空調対象空間に室内機１００を据え付けるときに用いられる情報が記載されている。空調対象空間に室内機１００を据え付けるときに用いられる情報とは、例えば、製品情報、及び、室内機１００を据え付ける際に注意すべき注意内容１２等である。さらに、本実施の形態に係る室内機１００においては、シート２に、室内機本体１の横方向の中心位置を示すマーク１３が記されている。換言すると、シート２は、マーク１３と室内機本体１の横方向の中心位置とが一致するように、室内機本体１の前面部に貼り付けられている。
【００３２】
したがって、本実施の形態に係る室内機１００においては、シート２に記されているマーク１３によって、室内機本体１の横方向の中心位置を視覚的に認知できる。このため、本実施の形態に係る室内機１００においては、シート２に記されているマーク１３と据付板４の横方向の中心位置とを一致させることにより、室内機本体１の横方向の中心位置と据付板４の横方向の中心位置とを容易に一致させることができる。すなわち、本実施の形態に係る室内機１００においては、シート２に記されているマーク１３と据付板４の横方向の中心位置とを一致させることにより、室内機本体１の穴部５ａの位置と据付板４のフック４ａの位置とを容易に一致させることができる。したがって、本実施の形態に係る室内機１００は、室内機本体１の上面部に吸込口９を有していても、室内機本体１を据付板４に容易に取り付けることができ、室内機本体１の据付板４への取り付け作業性を向上させることができる。
【００３３】
以上、本実施の形態に係る室内機１００は、上方に突出したフック４ａを有し、空調対象空間の壁面に取り付けられる据付板４と、穴部５ａを有し、該穴部５ａにフック４ａが挿入されることにより、背面部を構成する台枠５が据付板４と対向した状態で据付板４に取り付けられる室内機本体１と、を備える。また、本実施の形態に係る室内機１００は、室内機本体１の前面部に取り外し自在に貼り付けられ、空調対象空間に室内機１００を据え付けるときに用いられる情報が記載されたシート２を有し、室内機本体１は、上面部に吸込口９を有し、該吸込口９の横方向の中心位置は、室内機本体１の横方向の中心位置とずれており、フック４ａ及び穴部５ａは、室内機本体１の横方向の中心位置と据付板４の横方向の中心位置とが一致した状態のときに、フック４ａが穴部５ａに挿入される位置に設けられており、シート２には、室内機本体１の横方向の中心位置を示すマーク１３が記されている。
【００３４】
このため、本実施の形態に係る室内機１００は、室内機本体１の上面部に吸込口９を有していても、室内機本体１を据付板４に容易に取り付けることができ、室内機本体１の据付板４への取り付け作業性を向上させることができる。また、マーク１３は、シート２への印刷であるため、自由に位置を変更することができる。このため、様々な仕様の室内機１００に、本発明を実施することができる。
【００３５】
また、本実施の形態に係る室内機１００においては、フック４ａは、据付板４の横方向の中心位置に設けられている。このため、シート２のマーク１３は、フック４ａの挿入位置である穴部５ａを指し示すこととなる。したがって、フック４ａを据付板４の横方向の中心位置に設けることにより、室内機本体１の据付板４への取り付け作業性をさらに向上させることができる。
【００３６】
また、本実施の形態に係る室内機１００においては、シート２は、テープ３によって室内機本体１に貼り付けられている。このため、室内機１００の据付終了後、シート２を室内機本体１から容易に剥がすことができる。このため、テープ３によって貼り付けられたシート２にマーク１３を記している本実施の形態に係る室内機１００は、マーク１３を刻印又は接着剤等によって室内機１００に付す場合と比べ、室内機１００の意匠性の低下を防止できるという効果が得られる。
【００３７】
なお、本実施の形態では、据付板４に３つのフック４ａを設けた。しかしながら、フック４ａの数は、３つに限定されるものではない。室内機本体１を据付板４に保持できる強度が得られれば、フック４ａの数は任意である。
【００３８】
また、本実施の形態では、三角形状のマーク１３をシート２に記した。しかしながら、マーク１３の形状は、三角形状に限定されるものではない。室内機本体１の横方向の中心位置を認識できれば、マーク１３の形状は任意である。
【符号の説明】
【００３９】
１  室内機本体、２  シート、３  テープ、４  据付板、４ａ  フック、４ｂ  穴部、５  台枠、５ａ  穴部、５ｂ  爪、６  モータ、７  熱交換器、８  冷媒配管、９  吸込口、９ａ  縦桟、９ｂ  縦桟、９ｃ  横桟、１０  中心位置、１１  中心位置、１２  注意内容、１３  マーク、１００  室内機。
【図１】
0006716011.tif 000002
【図２】
0006716011.tif 000003
【図３】
0006716011.tif 000004
【図４】
0006716011.tif 000005
【図５】
0006716011.tif 000006
【図６】
0006716011.tif 000007
【図７】
0006716011.tif 000008
【図８】
0006716011.tif 000009
【図９】
0006716011.tif 000010